(57)【特許請求の範囲】
【請求項１】
床に配設された温水配管(２０Ａ〜２０Ｄ)が接続される複数の配管接続部(１４Ａ〜１４Ｄ,１５Ａ〜１５Ｄ)と、
上記配管接続部(１４Ａ〜１４Ｄ,１５Ａ〜１５Ｄ)毎に設けられた複数の熱動弁(Ｖ１〜Ｖ４)と、
上記複数の配管接続部(１４Ａ〜１４Ｄ,１５Ａ〜１５Ｄ)と上記温水配管(２０Ａ〜２０Ｄ)を介して水を循環させる温水回路と、
上記温水回路の水の流れを検出する水流検出手段と、
上記複数の熱動弁(Ｖ１〜Ｖ４)を制御する熱動弁制御部(１０a)と、
上記熱動弁制御部(１０a)に上記複数の熱動弁(Ｖ１〜Ｖ４)を順に開かせて、上記複数の熱動弁(Ｖ１〜Ｖ４)のうちの１つが開いた状態において上記水流検出手段により検出された上記温水回路の水の流れに基づいて、上記温水配管(２０Ａ〜２０Ｄ)の接続の有無を判定する温水配管接続判定部(１０b)と、
熱源装置(１,２,３,ＥＶ,４,５)と、
上記熱源装置(１,２,３,ＥＶ,４,５)からの熱媒体が一次側を流れることにより加熱される水熱交換器(４)と、
上記水熱交換器(４)の温度を検出する水熱交換器温度センサ(２３)と
を備え、
上記温水回路は、上記水熱交換器(４)の二次側と上記複数の配管接続部(１４Ａ〜１４Ｄ,１５Ａ〜１５Ｄ)とその複数の配管接続部(１４Ａ〜１４Ｄ,１５Ａ〜１５Ｄ)に接続される上記温水配管(２０Ａ〜２０Ｄ)を介して水を循環させると共に、
上記水流検出手段は、上記水熱交換器温度センサ(２３)により検出された上記水熱交換器(４)の温度に基づいて、上記温水回路の水の流れを検出することを特徴とする温水床暖房装置。
【請求項２】
請求項１に記載の温水床暖房装置において、
上記温水回路内の水を循環させる循環ポンプ(１２)と、
上記循環ポンプ(１２)を駆動するモータを制御する循環ポンプ制御部(１０c)と、
上記循環ポンプ制御部(１０c)により制御される上記モータの回転数に基づいて、上記温水回路に流れる水量を推定する水量推定部(１０f)と
を備え、
上記水流検出手段は、上記水量推定部(１０f)により推定された上記温水回路に流れる水量に基づいて、上記温水回路の水の流れを検出することを特徴とする温水床暖房装置。
【請求項３】
請求項１に記載の温水床暖房装置において、
上記温水回路内の水を循環させる循環ポンプ(１２)と、
上記循環ポンプ(１２)を駆動するモータを制御する循環ポンプ制御部(１０c)と、
上記循環ポンプ制御部(１０c)により制御される上記モータの印加電圧信号のデューティに基づいて、上記温水回路に流れる水量を推定する水量推定部(１０f)と
を備え、
上記水流検出手段は、上記水量推定部(１０f)により推定された上記温水回路に流れる水量に基づいて、上記配管接続部(１４Ａ〜１４Ｄ,１５Ａ〜１５Ｄ)に接続された温水配管の水の流れを検出することを特徴とする温水床暖房装置。
【請求項４】
請求項１から３までのいずれか１つに記載の温水床暖房装置において、
上記温水回路に流れる水量を検出する水量センサ(１７)を備え、
上記水流検出手段は、上記水量センサ(１７)により検出された上記温水回路に流れる水量に基づいて、上記温水回路の水の流れを検出することを特徴とする温水床暖房装置。
【請求項５】
請求項１から４までのいずれか１つに記載の温水床暖房装置において、
上記複数の配管接続部(１４Ａ〜１４Ｄ,１５Ａ〜１５Ｄ)に対して、上記各配管接続部(１４Ａ〜１４Ｄ,１５Ａ〜１５Ｄ)に接続される上記温水配管(２０Ａ〜２０Ｄ)が配設された上記床の領域を示すゾーンを夫々設定するゾーン設定部(１０d)と、
上記床の領域毎に設けられ、上記温水配管(２０Ａ〜２０Ｄ)が配設された上記床の領域の床面温度を夫々検出する複数の床面温度センサと、
上記ゾーン設定部(１０d)に設定された上記複数の配管接続部(１４Ａ〜１４Ｄ,１５Ａ〜１５Ｄ)に対応する上記ゾーンと、上記各ゾーンにおいて上記床面温度センサにより検出された上記床の領域の床面温度、および、上記温水配管接続判定部(１０b)による判定結果に基づいて、上記ゾーン設定部(１０d)により設定された上記ゾーンと上記温水配管(２０Ａ〜２０Ｄ)が配設された上記床の領域との対応が一致するか否かを判定するゾーン判定部(１０g)と、
上記ゾーン判定部(１０g)が上記ゾーン設定部(１０d)により設定された上記ゾーンと上記温水配管(２０Ａ〜２０Ｄ)が配設された上記床の領域との対応が不一致であると判定すると、その判定結果を使用者に報知する報知部と
を備えたことを特徴とする温水床暖房装置。
【発明の詳細な説明】
【技術分野】
【０００１】
この発明は、温水床暖房装置および温水床暖房装置の配管接続判定方法に関し、詳しくは、床に配設された温水配管を介して温水を循環させることにより床暖房を行う温水床暖房装置および温水床暖房装置の配管接続判定方法に関する。
【背景技術】
【０００２】
従来、温水床暖房装置としては、温水配管を介して循環する温水の往き温度および戻り温度に基づいて、熱源機と接続制御ユニットとの間の温水配管が正しく接続されているか否かを判定するものがある(例えば、特許第４２３９９２４号(特許文献１)参照)。
【０００３】
上記温水床暖房装置では、複数の温水配管が接続制御ユニットに接続されているが、温水の往き温度および戻り温度に基づいて温水配管の誤接続を検出しようとした場合、温水の往き温度および戻り温度の立ち上がりが緩やかであるため、温水配管の誤接続を迅速かつ確実に検出することができないという問題がある。
【先行技術文献】
【特許文献】
【０００４】
【特許文献１】特許第４２３９９２４号
【発明の概要】
【発明が解決しようとする課題】
【０００５】
そこで、この発明の課題は、簡単な構成で温水配管の誤接続を迅速かつ正確に検出できる温水床暖房装置および温水床暖房装置の配管接続判定方法を提供することにある。
【課題を解決するための手段】
【０００６】
上記課題を解決するため、この発明の温水床暖房装置は、
床に配設された温水配管が接続される複数の配管接続部と、
上記配管接続部毎に設けられた複数の熱動弁と、
上記複数の配管接続部と上記温水配管を介して水を循環させる温水回路と、
上記温水回路の水の流れを検出する水流検出手段と、
上記複数の熱動弁を制御する熱動弁制御部と、
上記熱動弁制御部に上記複数の熱動弁を順に開かせて、上記複数の熱動弁のうちの１つが開いた状態において上記水流検出手段により検出された上記温水回路の水の流れに基づいて、上記温水配管の接続の有無を判定する温水配管接続判定部と、
熱源装置と、
上記熱源装置からの熱媒体が一次側を流れることにより加熱される水熱交換器と、
上記水熱交換器の温度を検出する水熱交換器温度センサと
を備え、
上記温水回路は、上記水熱交換器の二次側と上記複数の配管接続部とその複数の配管接続部に接続される上記温水配管を介して水を循環させると共に、
上記水流検出手段は、上記水熱交換器温度センサにより検出された上記水熱交換器の温度に基づいて、上記温水回路の水の流れを検出することを特徴とする。
【０００７】
上記構成によれば、配管接続部毎に設けられた複数の熱動弁を熱動弁制御部により順に開かせて、複数の熱動弁のうちの１つが開いた状態において水流検出手段により温水回路の水の流れを検出する。そして、水流検出手段により検出された温水回路の水の流れに基づいて、温水配管接続判定部により温水配管の接続の有無を判定する。例えば、水流検出手段に水量センサを用いて、温水回路の水の流れを検出することにより、温水配管接続判定部は温水配管の接続の有無を判定する。これにより、簡単な構成で温水配管の誤接続を迅速かつ正確に検出できる。
【０００８】
【０００９】
また、熱源装置で水熱交換器の一次側を温めて、水熱交換器の二次側と複数の配管接続部とその複数の配管接続部に接続される温水配管を介して温水回路で水を循環させることにより、温水配管が配設された床を温めて暖房を行う。このような構成において、温水配管接続判定部による判定時、温水配管が正しく接続されていれば温水回路を水が循環して、水との熱交換により水熱交換器の温度上昇が抑制される一方、温水配管の誤接続により温水回路を水が循環しないと水熱交換器の温度が上昇する。したがって、水流検出手段は、温水配管接続判定部による判定時に、水熱交換器温度センサにより検出された水熱交換器の温度に基づいて、温水回路の水の流れを検出することが可能になる。
【００１０】
また、一実施形態の温水床暖房装置では、
上記温水回路内の水を循環させる循環ポンプと、
上記循環ポンプを駆動するモータを制御する循環ポンプ制御部と、
上記循環ポンプ制御部により制御される上記モータの回転数に基づいて、上記温水回路に流れる水量を推定する水量推定部と
を備え、
上記水流検出手段は、上記水量推定部により推定された上記温水回路に流れる水量に基づいて、上記温水回路の水の流れを検出する。
【００１１】
上記実施形態によれば、循環ポンプ制御部によって、温水回路内の水を循環させる循環ポンプを駆動するモータの印加電圧信号のデューティを一定にして回転させた場合、温水配管が正しく接続されているときは温水回路を所定水量の水が循環して、モータは想定される負荷で回転する。一方、温水配管の誤接続により温水回路を水が循環しないときは、温水配管が正しく接続されているときよりもモータの負荷が小さくなって、モータの回転数が高くなる。すなわち、循環ポンプを駆動するモータの回転数と温水回路に流れる水量との間には相関関係がある。したがって、この相関関係を利用して、モータを所定のデューティの印加電圧信号で回転させることで、水量推定部は、モータの回転数に基づいて温水回路に流れる水量を推定することが可能になる。
【００１２】
また、一実施形態の温水床暖房装置では、
上記温水回路内の水を循環させる循環ポンプと、
上記循環ポンプを駆動するモータを制御する循環ポンプ制御部と、
上記循環ポンプ制御部により制御される上記モータの印加電圧信号のデューティに基づいて、上記温水回路に流れる水量を推定する水量推定部と
を備え、
上記水流検出手段は、上記水量推定部により推定された上記温水回路に流れる水量に基づいて、上記配管接続部に接続された温水配管の水の流れを検出する。
【００１３】
上記実施形態によれば、循環ポンプ制御部によって、温水回路内の水を循環させる循環ポンプを駆動するモータを一定の回転数で回転させた場合、温水配管が正しく接続されているときは温水回路を所定水量の水が循環して、モータは想定される負荷で回転する。一方、温水配管の誤接続により温水回路を水が循環しないときは、温水配管が正しく接続されているときよりもモータの負荷が小さくなって、循環ポンプ制御部は、モータの回転数を保つために印加電圧信号のデューティを小さくする。すなわち、循環ポンプを駆動するモータの印加電圧信号のデューティと温水回路に流れる水量との間には相関関係がある。したがって、この相関関係を利用して、モータを一定の回転数で回転させることで、水量推定部は、モータの印加電圧信号のデューティに基づいて温水回路に流れる水量を推定することが可能になる。
【００１４】
また、一実施形態の温水床暖房装置では、
上記温水回路に流れる水量を検出する水量センサを備え、
上記水流検出手段は、上記水量センサにより検出された上記温水回路に流れる水量に基づいて、上記温水回路の水の流れを検出する。
【００１５】
上記実施形態によれば、水量センサにより温水回路に流れる水量を検出することによって、水流検出手段は、温水回路の水の流れを容易に検出することができる。
【００１６】
また、一実施形態の温水床暖房装置では、
上記複数の配管接続部に対して、上記各配管接続部に接続される上記温水配管が配設された上記床の領域を示すゾーンを夫々設定するゾーン設定部と、
上記床の領域毎に設けられ、上記温水配管が配設された上記床の領域の床面温度を夫々検出する複数の床面温度センサと、
上記ゾーン設定部に設定された上記複数の配管接続部に対応する上記ゾーンと、上記各ゾーンにおいて上記床面温度センサにより検出された上記床の領域の床面温度、および、上記温水配管接続判定部による判定結果に基づいて、上記ゾーン設定部により設定された上記ゾーンと上記温水配管が配設された上記床の領域との対応が一致するか否かを判定するゾーン判定部と、
上記ゾーン判定部が上記ゾーン設定部により設定された上記ゾーンと上記温水配管が配設された上記床の領域との対応が不一致であると判定すると、その判定結果を使用者に報知する報知部と
を備えた。
【００１７】
上記実施形態によれば、ゾーン設定部によって、複数の配管接続部に対して、各配管接続部に接続される温水配管が配設された床の領域を示すゾーンを夫々設定する。すなわち、異なる床の領域に温水配管が夫々配設されている場合、複数の配管接続部とその配管接続部に接続された温水配管およびその温水配管が配設された床の領域との相互の対応関係が設定される。そして、ゾーン判定部は、ゾーン設定部に設定された複数の配管接続部に対応するゾーンと、各ゾーンにおいて床面温度センサにより検出された床の領域の床面温度、および、温水配管接続判定部による判定結果に基づいて、ゾーン設定部により設定されたゾーンと温水配管が配設された床の領域との対応が一致するか否かを判定する。これにより、ゾーン設定部により設定されたゾーンと温水配管が配設された床の領域との対応が一致しないときは、その旨を報知部により使用者に報知することによって、使用者は、ゾーンと温水配管が配設された床の領域との対応が一致するように、ゾーン設定部によりゾーンを設定し直すことが可能になる。
【００１８】
【００１９】
【発明の効果】
【００２０】
以上より明らかなように、この発明の温水床暖房装置および温水床暖房装置の配管接続判定方法によれば、簡単な構成で温水配管の誤接続を迅速かつ正確に検出できる温水床暖房装置を実現することができる。
【図面の簡単な説明】
【００２１】
【図１】図１はこの発明の第１実施形態の温水床暖房装置の構成図である。
【図２】図２は上記温水床暖房装置の制御ブロック図である。
【図３】図３は上記温水床暖房装置の送りヘッダと戻りヘッダの要部の斜視図である。
【図４】図４は送りヘッダと温水配管の接続前の状態を示す図である。
【図５】図５は上記送りヘッダと温水配管の接続後の状態を示す図である。
【図６】図６はリモートコントローラのゾーン設定時の表示画面の一例を示す図である。
【図７】図７は上記温水床暖房装置の制御装置の温水配管接続判定動作を説明するためのフローチャートである。
【図８】図８は図７に続くフローチャートである。
【図９】図９は図８に続くフローチャートである。
【図１０】図１０は図９に続くフローチャートである。
【図１１】図１１はこの発明の第２実施形態の温水床暖房装置の制御ブロック図である。
【図１２】図１２はこの発明の第３実施形態の温水床暖房装置の制御ブロック図である。
【図１３】図１３は上記温水床暖房装置の制御装置のゾーン設定判定動作を説明するためのフローチャートである。
【図１４】図１４は図１３に続くフローチャートである。
【図１５】図１５は図１４に続くフローチャートである。
【図１６】図１６は図１５に続くフローチャートである。
【発明を実施するための形態】
【００２２】
以下、この発明の温水床暖房装置および温水床暖房装置の配管接続判定方法を図示の実施の形態により詳細に説明する。
【００２３】
〔第１実施形態〕
図１はこの発明の第１実施形態の温水床暖房装置１００の構成図を示している。この第１実施形態の温水床暖房装置１００は、図１に示すように、床暖房パネル２００が接続されている。
【００２４】
図１において、１は圧縮機、２は上記圧縮機１の吐出側に一端が接続された四路弁、３は上記四路弁２の他端に一端が接続された室外熱交換器、ＥＶは上記室外熱交換器３の他端に一端が接続された電動弁、４は上記電動弁ＥＶの他端に一端が接続された水熱交換器、５は上記水熱交換器４の他端に四路弁２を介して一端が接続され、他端が圧縮機１の吸入側に接続されたアキュムレータである。上記室外熱交換器３近傍に室外ファン６を配置している。水熱交換器４は、外管４aとその外管４a内に挿入された内管４bからなる２重管熱交換器である。なお、水熱交換器は、プレート式の熱交換器でもよい。
【００２５】
上記圧縮機１と四路弁２と室外熱交換器３と電動弁ＥＶと水熱交換器４およびアキュムレータ５で、熱源装置の一例としてのヒートポンプの冷媒回路を構成している。
【００２６】
また、上記圧縮機１の吐出側に吐出管温度センサ２１を設けている。また、室外熱交換器３の近傍に室外温度を検出する室外温度センサ２２を設けている。また、水熱交換器４に水熱交換器温度を検出する水熱交換器温度センサ２３を設けている。
【００２７】
上記温水床暖房装置１００は、水熱交換器４の二次側往き口に往き配管Ｌ１を介して一端が接続され、正負圧弁付給水口を有する給水タンク１１と、上記給水タンク１１の他端に往き配管Ｌ２を介して一端が接続された循環ポンプ１２と、上記循環ポンプ１２の他端に往き配管Ｌ３を介して入口側が接続された往きヘッダ１３と、上記往きヘッダ１３の４つの往き配管接続部１４Ａ〜１４Ｄに一端が夫々接続された第１〜第４熱動弁Ｖ１〜Ｖ４と、上記水熱交換器４の二次側戻り口に戻り配管Ｌ５を介して一端が接続された水流検出手段の一例としての水量センサ１７と、水量センサ１７の他端に戻り配管Ｌ４を介して出口側が接続され、４つの戻り配管接続部１５Ａ〜１５Ｄを有する戻りヘッダ１６とを備えている。戻り配管Ｌ５に水抜栓３３を配設している。また、往き配管Ｌ１に往き水温を検出する往き水温センサ２４を設け、戻り配管Ｌ５に戻り水温を検出する戻り水温センサ２５を設けている。
【００２８】
上記水熱交換器４と往き配管Ｌ１と給水タンク１１と往き配管Ｌ２と循環ポンプ１２と往き配管Ｌ３と戻り配管Ｌ４と水量センサ１７と戻り配管Ｌ５で温水回路を構成している。
【００２９】
さらに、第１熱動弁Ｖ１の他端に温水配管２０Ａの一端が接続され、温水配管２０Ａの他端が戻りヘッダ１６の戻り配管接続部１５Ａに接続されている。また、第２熱動弁Ｖ２の他端に温水配管２０Ｂの一端が接続され、温水配管２０Ｂの他端が戻りヘッダ１６の戻り配管接続部１５Ｂに接続されている。また、第３熱動弁Ｖ３の他端に温水配管２０Ｃの一端が接続され、温水配管２０Ｃの他端が戻りヘッダ１６の戻り配管接続部１５Ｃに接続されている。さらに、第４熱動弁Ｖ４の他端に温水配管２０Ｄの一端が接続され、温水配管２０Ｄの他端が戻りヘッダ１６の戻り配管接続部１５Ｄに接続されている。図１において、２００は温水配管２０Ａ〜２０Ｄが配設された床暖房パネルである。
【００３０】
この第１実施形態では、温水床暖房装置１００に４つの温水配管２０Ａ〜２０Ｄを接続したが、これに限らず、温水床暖房装置１００に接続される温水配管は、１乃至３または５以上でもよい。
【００３１】
上記温水床暖房装置１００は、マイクロコンピュータと入出力回路などからなる制御装置１０を備えている。また、制御装置１０にリモートコントローラ３００を接続している。
【００３２】
図２は上記温水床暖房装置１００の制御ブロック図を示しており、制御装置１０は、図２に示すように、圧縮機１と四路弁２と室外ファン用モータ６aと電動弁ＥＶと循環ポンプ用モータ１２aと第１〜第４熱動弁Ｖ１〜Ｖ４と水量センサ１７と吐出管温度センサ２１と室外温度センサ２２と水熱交換器温度センサ２３と往き水温センサ２４と戻り水温センサ２５およびリモートコントローラ３００が接続されている。上記制御装置１０は、水量センサ１７,吐出管温度センサ２１,室外温度センサ２２,水熱交換器温度センサ２３,往き水温センサ２４,戻り水温センサ２５からの信号およびリモートコントローラ３００からの信号に基づいて、圧縮機１,四路弁２,室外ファン用モータ６a,電動弁ＥＶ,循環ポンプ用モータ１２a,第１〜第４熱動弁Ｖ１〜Ｖ４を制御する。
【００３３】
また、制御装置１０は、第１〜第４熱動弁Ｖ１〜Ｖ４を制御する熱動弁制御部１０aと、温水配管２０Ａ〜２０Ｄの接続の有無を判定する温水配管接続判定部１０bと、循環ポンプ１２を制御する循環ポンプ制御部１０cと、温水配管２０Ａ〜２０Ｄが配設された床の領域を示すゾーンを夫々設定するゾーン設定部１０dと、温水配管接続判定部１０bの判定結果を使用者に知らせる報知部１０eとを有する。
【００３４】
上記構成の温水床暖房装置１００によれば、床暖房運転を行う場合、四路弁２を実線の位置に切り換えて、圧縮機１の運転を開始する。そして、電動弁ＥＶを所定の開度に開くと共に、第１〜第４熱動弁Ｖ１〜Ｖ４を開いて、循環ポンプ１２の運転を開始する。そうして、圧縮機１から吐出した高温高圧のガス冷媒は、水熱交換器４で水との熱交換により凝縮して液冷媒となる。このとき、水熱交換器４が加熱される。次に、水熱交換器４からの液冷媒は、電動弁ＥＶで減圧された後、室外熱交換器３で室外ファン６を運転することにより室外空気との熱交換により蒸発してガス冷媒となり、圧縮機１の吸入側に戻る。
【００３５】
これにより、水熱交換器４で加熱された温水は、循環ポンプ１２により第１〜第４熱動弁Ｖ１〜Ｖ４を介して温水配管２０Ａ〜２０Ｄを介して循環することにより、床暖房が行われる。ここで、第１〜第４熱動弁Ｖ１〜Ｖ４のうち、熱動弁を選択して開くことにより、所望のゾーンの床暖房を行うことができる。
【００３６】
図３は送りヘッダ１３と戻りヘッダ１６の要部の斜視図を示している。温水床暖房装置１００の本体(図示せず)の側面に、送りヘッダ１３と戻りヘッダ１６が側方に突出するように取り付けられている。
【００３７】
図３に示すように、送りヘッダ１３は、略直方体形状の本体部１３aと、その本体部１３aの長手方向に所定の間隔をあけて長手方向に対して直交する方向に突出するように設けられた往き配管接続部１４Ａ〜１４Ｄと、本体部１３aの往き配管接続部１４Ａ〜１４Ｄと反対の側に一部が突出するように設けられた第１〜第４熱動弁Ｖ１〜Ｖ４とを有する。この実施の形態では、送りヘッダと熱動弁を一体化したが、送りヘッダと熱動弁は別体に設けたものであってもよい。
【００３８】
また、戻りヘッダ１６は、送りヘッダ１３の本体部１３と略平行に配置された略円柱形状の本体部１６aと、その本体部１６aの長手方向に所定の間隔をあけて往き配管接続部１４Ａ〜１４Ｄと同じ方向に突出するように設けられた戻り配管接続部１５Ａ〜１５Ｄとを有する。
【００３９】
図４は送りヘッダ１３と温水配管２０Ａの接続前の状態を示し、図５は送りヘッダ１３と温水配管２０Ａの接続後の状態を示している。図４に示すように、温水配管２０Ａの一端には、ジョイント部４１が設けられ、その近傍の外周にＬバンド４２を取り付けている。
【００４０】
そして、図５に示すように、送りヘッダ１３の往き配管接続部１４Ａに、温水配管２０Ａのジョイント部４１を挿入し、往き配管接続部１４Ａとジョイント部４１とをクリップ４３により固定する。
【００４１】
また、図６はリモートコントローラ３００のゾーン設定時の表示画面の一例を示している。図６に示すように、表示画面の熱動弁の「１」、「２」、「３」、「４」は、第１〜第４熱動弁Ｖ１,Ｖ２,Ｖ３,Ｖ４に夫々対応している。この表示画面では、制御装置１０のゾーン設定部１０dによって、第１熱動弁Ｖ１にゾーン「Ａ」が設定され、第２熱動弁Ｖ２にゾーン「Ｂ」が設定され、第３熱動弁Ｖ３にゾーン「Ｃ」が設定され、第４熱動弁Ｖ４にゾーン「Ｄ」が設定されている。
【００４２】
この設定条件で床暖房運転を行うとき、リモートコントローラ３００の操作により、ゾーン「Ａ」、「Ｂ」、「Ｃ」、「Ｄ」について、運転指令または停止指令などを行う。例えば、第１熱動弁Ｖ１に対応する温水配管２０Ａがリビングに配設され、第２熱動弁Ｖ２に対応する温水配管２０Ｂがキッチンに配設され、第３熱動弁Ｖ３に対応する温水配管２０Ａが寝室に配設され、第４熱動弁Ｖ４に対応する温水配管２０Ａが子供部屋に配設されている場合、リビングの床暖房運転はゾーン「Ａ」で操作され、キッチンの床暖房運転はゾーン「Ｂ」で操作され、寝室の床暖房運転はゾーン「Ｃ」で操作され、子供部屋の床暖房運転はゾーン「Ｄ」で操作される。
【００４３】
図６では、第１熱動弁Ｖ１に対応するゾーン「Ａ」が選択されている状態を示し、図示しない上矢印(▲)ボタンまたは下矢印(▼)ボタンのいずれかを操作することで、「−」(不使用)、「Ａ」を交互に繰り返し表示され、決定ボタン(図示せず)を押すことにより第１熱動弁Ｖ１に対応するゾーンの設定が完了する。なお、他の第２〜４熱動弁Ｖ２〜Ｖ４がすべて「−」(不使用)であれば、「Ｂ」、「Ｃ」、「Ｄ」、「−」(不使用)の順に繰り返し表示される。
【００４４】
また、図示しない左矢印ボタンまたは右矢印ボタンのいずれかを操作することで、第２〜４熱動弁Ｖ２〜Ｖ４に対応するゾーンが選択された状態になって、第１熱動弁Ｖ１のときと同様に、ゾーンの設定が行える。
【００４５】
次に、この第１実施形態の温水床暖房装置１００において、据付完了時に温水配管２０Ａ〜２０Ｄの接続を判定する温水配管接続判定動作について説明する。
【００４６】
図７〜図１０は上記温水床暖房装置１００の制御装置１０の温水配管接続判定部１０bによる温水配管接続判定動作を説明するためのフローチャートを示している。
【００４７】
〔第１熱動弁Ｖ１の接続判定〕
まず、温水配管接続判定動作の処理がスタートすると、図７に示すステップＳ１で熱動弁制御部１０aにより第１熱動弁Ｖ１を開く。
【００４８】
次に、ステップＳ２に進み、ヒートポンプ運転を開始する。すなわち、四路弁２を実線の位置に切り換え、圧縮機１の運転を開始すると共に、電動弁ＥＶを所定開度に開き、室外ファン６を運転する。
【００４９】
次に、ステップＳ３に進み、循環ポンプ制御部１０cにより循環ポンプ１２の運転を開始する。
【００５０】
次に、ステップＳ４に進み、水量センサ１７により検出された水量に基づいて、流量があるか否かを判定する。ここで、第１熱動弁Ｖ１は、すぐに開状態にならないので、数分間は水量センサ１７による水量の検出を継続して行う(第２〜第４熱動弁Ｖ２〜Ｖ４も同様)。
【００５１】
そして、ステップＳ４で流量があると判定すると、ステップＳ５に進む一方、流量がないと判定すると、ステップＳ７に進む。
【００５２】
そして、ステップＳ５では、第１熱動弁Ｖ１のゾーン設定済みであると判定すると、ステップＳ６に進み、第１熱動弁Ｖ１の接続が正常であると判断して、図８に示すステップＳ２１に進む。
【００５３】
一方、ステップＳ５で第１熱動弁Ｖ１のゾーン設定済みでないと判定すると、ステップＳ８に進み、ゾーン設定の誤りであるとして、ステップＳ９に進む。
【００５４】
そして、ステップＳ９で報知部１０eにより異常を報知する。すなわち、報知部１０eによりリモートコントローラ３００に温水配管接続判定部１０bの判定結果を表示して、使用者に知らせる。
【００５５】
次に、ステップＳ１０に進み、ヒートポンプ運転を停止する。すなわち、圧縮機１と室外ファン６の運転を停止する。
【００５６】
次に、ステップＳ１１に進み、循環ポンプ制御部１０cにより循環ポンプ１２の運転を停止して、この処理を終了する。
【００５７】
なお、ステップＳ４で流量がないと判定して、ステップＳ７に進んだ場合、第１熱動弁Ｖ１のゾーン設定済みであると判定すると、第１熱動弁Ｖ１に接続すべき温水配管が接続されていないと判断し、ステップＳ９に進む。一方、ステップＳ７で第１熱動弁Ｖ１のゾーン設定済みでないと判定すると、図８に示すステップＳ２１に進む。この場合は、第１熱動弁Ｖ１に温水配管は接続されておらず、ゾーン設定もされていないので、第１熱動弁Ｖ１は不使用と判断される。
【００５８】
〔第２熱動弁Ｖ２の接続判定〕
次に、図８に示すステップＳ２１では、熱動弁制御部１０aにより第１熱動弁Ｖ１を閉鎖して、ステップＳ２２に進み、熱動弁制御部１０aにより第２熱動弁Ｖ２を開く。
【００５９】
次に、ステップＳ２３に進み、水量センサ１７により検出された水量に基づいて、流量があると判定すると、ステップＳ２４に進む一方、流量がないと判定すると、ステップＳ２６に進む。
【００６０】
そして、ステップＳ２４では、第２熱動弁Ｖ２のゾーン設定済みであると判定すると、ステップＳ２５に進み、第２熱動弁Ｖ２の接続が正常であると判断して、図９に示すステップＳ３１に進む。
【００６１】
一方、ステップＳ２４で第２熱動弁Ｖ２のゾーン設定済みでないと判定すると、ステップＳ２７に進み、ゾーン設定の誤りであるとして、ステップＳ２８に進む。
【００６２】
そして、ステップＳ２８で報知部１０eにより異常を報知する。すなわち、報知部１０eによりリモートコントローラ３００に温水配管接続判定部１０bの判定結果を表示して、使用者に知らせる。
【００６３】
次に、図７に示すステップＳ１０に進み、ヒートポンプ運転を停止し、ステップＳ１１に進み、循環ポンプ制御部１０cにより循環ポンプ１２の運転を停止して、この処理を終了する。
【００６４】
なお、ステップＳ２３で流量がないと判定して、ステップＳ２６に進んだ場合、第２熱動弁Ｖ２のゾーン設定済みであると判定すると、第２熱動弁Ｖ２に接続すべき温水配管が接続されていないと判断し、ステップＳ２８に進む。一方、ステップＳ２６で第２熱動弁Ｖ２のゾーン設定済みでないと判定すると、図９に示すステップＳ３１に進む。この場合は、第２熱動弁Ｖ２に温水配管は接続されておらず、ゾーン設定もされていないので、第２熱動弁Ｖ２は不使用と判断される。
【００６５】
〔第３熱動弁Ｖ３の接続判定〕
次に、図９に示すステップＳ３１では、熱動弁制御部１０aにより第２熱動弁Ｖ２を閉鎖して、ステップＳ２２に進み、熱動弁制御部１０aにより第３熱動弁Ｖ３を開く。
【００６６】
次に、ステップＳ３３に進み、水量センサ１７により検出された水量に基づいて、流量があると判定すると、ステップＳ３４に進む一方、流量がないと判定すると、ステップＳ３６に進む。
【００６７】
そして、ステップＳ３４では、第３熱動弁Ｖ３のゾーン設定済みであると判定すると、ステップＳ３５に進み、第３熱動弁Ｖ３の接続が正常であると判断して、図１０に示すステップＳ４１に進む。
【００６８】
一方、ステップＳ３４で第３熱動弁Ｖ３のゾーン設定済みでないと判定すると、ステップＳ３７に進み、ゾーン設定の誤りであるとして、ステップＳ３８に進む。
【００６９】
そして、ステップＳ３８で報知部１０eにより異常を報知する。すなわち、報知部１０eによりリモートコントローラ３００に温水配管接続判定部１０bの判定結果を表示して、使用者に知らせる。
【００７０】
次に、図７に示すステップＳ１０に進み、ヒートポンプ運転を停止し、ステップＳ１１に進み、循環ポンプ制御部１０cにより循環ポンプ１２の運転を停止して、この処理を終了する。
【００７１】
なお、ステップＳ３３で流量がないと判定して、ステップＳ３６に進んだ場合、第３熱動弁Ｖ３のゾーン設定済みであると判定すると、第３熱動弁Ｖ３に接続すべき温水配管が接続されていないと判断し、ステップＳ３８に進む。一方、ステップＳ３６で第３熱動弁Ｖ３のゾーン設定済みでないと判定すると、図１０に示すステップＳ４１に進む。この場合は、第３熱動弁Ｖ３に温水配管は接続されておらず、ゾーン設定もされていないので、第３熱動弁Ｖ２は不使用と判断される。
【００７２】
〔第４熱動弁Ｖ４の接続判定〕
次に、図１０に示すステップＳ４１では、熱動弁制御部１０aにより第３熱動弁Ｖ３を閉鎖して、ステップＳ４２に進み、熱動弁制御部１０aにより第４熱動弁Ｖ４を開く。
【００７３】
次に、ステップＳ４３に進み、水量センサ１７により検出された水量に基づいて、流量があると判定すると、ステップＳ４４に進む一方、流量がないと判定すると、ステップＳ４６に進む。
【００７４】
そして、ステップＳ４４では、第４熱動弁Ｖ４のゾーン設定済みであると判定すると、ステップＳ４５に進み、第４熱動弁Ｖ４の接続が正常であると判断して、この処理を終了する。
【００７５】
一方、ステップＳ４４で第４熱動弁Ｖ４のゾーン設定済みでないと判定すると、ステップＳ４７に進み、ゾーン設定の誤りであるとして、ステップＳ４８に進む。
【００７６】
そして、ステップＳ４８で報知部１０eにより異常を報知する。すなわち、報知部１０eによりリモートコントローラ３００に温水配管接続判定部１０bの判定結果を表示して、使用者に知らせる。
【００７７】
次に、図７に示すステップＳ１０に進み、ヒートポンプ運転を停止し、ステップＳ１１に進み、循環ポンプ制御部１０cにより循環ポンプ１２の運転を停止して、この処理を終了する。
【００７８】
なお、ステップＳ４３で流量がないと判定して、ステップＳ４６に進んだ場合、第４熱動弁Ｖ４のゾーン設定済みであると判定すると、第４熱動弁Ｖ４に接続すべき温水配管が接続されていないと判断し、ステップＳ４８に進む。一方、ステップＳ４６で第４熱動弁Ｖ４のゾーン設定済みでないと判定すると、この処理を終了する。この場合は、第４熱動弁Ｖ４に温水配管は接続されておらず、ゾーン設定もされていないので、第４熱動弁Ｖ４は不使用と判断される。
【００７９】
上記構成の温水床暖房装置１００および温水床暖房装置１００の配管接続判定方法によれば、温水配管接続判定部１０bにより第１〜第４熱動弁Ｖ１〜Ｖ４を熱動弁制御部１０aに順に開かせて、第１〜第４熱動弁Ｖ１〜Ｖ４のうちの１つが開いた状態において水量センサ１７により温水回路の水の流れを検出する。そして、水量センサ１７により検出された温水回路の水の流れに基づいて、温水配管接続判定部１０bにより温水配管２０Ａ〜２０Ｄの接続の有無を判定する。これにより、簡単な構成で温水配管２０Ａ〜２０Ｄの誤接続を迅速かつ正確に検出できる。
【００８０】
また、熱源装置の一例としてヒートポンプにより水熱交換器４の一次側を温めて、水熱交換器４の二次側と複数の配管接続部(１４Ａ〜１４Ｄ,１５Ａ〜１５Ｄ)とその複数の配管接続部に接続される温水配管２０Ａ〜２０Ｄを介して温水回路で水を循環させることにより、温水配管２０Ａ〜２０Ｄが配設された床を温めて暖房を行う。このような構成において、温水配管接続判定部１０bによる判定時、温水配管２０Ａ〜２０Ｄが正しく接続されていれば温水回路を水が循環して、水との熱交換により水熱交換器４の温度上昇が抑制される一方、温水配管２０Ａ〜２０Ｄの誤接続により温水回路を水が循環しないと水熱交換器４の温度が上昇する。したがって、温水配管接続判定部１０bによる判定時に、水熱交換器温度センサ２３により検出された水熱交換器４の温度に基づいて、温水回路の水の流れを検出することも可能である。
【００８１】
また、上記水量センサ１７により温水回路に流れる水量を検出することによって、温水回路の水の流れを容易に検出することができる。
【００８２】
〔第２実施形態〕
図１１はこの発明の第２実施形態の温水床暖房装置の制御ブロック図を示している。この第２実施形態の温水床暖房装置は、水量センサがない点と水量推定部１０fがある点を除いて第１実施形態の温水床暖房装置１００と同一の構成部からなり、図１を援用する。
【００８３】
図１１に示すように、制御装置１０は、循環ポンプ１２を駆動する循環ポンプ用モータ１２aの回転数に基づいて、温水回路に流れる水量を推定する水量推定部１０fを有する。
【００８４】
この第２実施形態の温水床暖房装置では、循環ポンプ制御部１０cによって、循環ポンプ用モータ１２aの印加電圧信号のデューティを一定にして回転させた場合、温水配管２０Ａ〜２０Ｄが正しく接続されているときは温水回路を所定水量の水が循環して、循環ポンプ用モータ１２aは想定される負荷で回転する。一方、温水配管２０Ａ〜２０Ｄの誤接続により温水回路を水が循環しないときは、温水配管２０Ａ〜２０Ｄが正しく接続されているときよりも循環ポンプ用モータ１２aの負荷が小さくなって、循環ポンプ用モータ１２aの回転数が高くなる。すなわち、循環ポンプ１２を駆動する循環ポンプ用モータ１２aの回転数と温水回路に流れる水量との間には相関関係がある。したがって、この循環ポンプ用モータ１２aの回転数と温水回路に流れる水量との間の相関関係を利用して、循環ポンプ用モータ１２aを所定のデューティの印加電圧信号で回転させることで、水量推定部１０fは、循環ポンプ用モータ１２aの回転数に基づいて温水回路に流れる水量を推定することが可能になる。
【００８５】
なお、上記第２実施形態では、循環ポンプ用モータ１２aの回転数に基づいて、温水回路に流れる水量を推定したが、これに限らず、循環ポンプ用モータ１２aの印加電圧信号のデューティに基づいて、温水回路に流れる水量を推定してもよい。
【００８６】
例えば、循環ポンプ制御部１０cによって、温水回路内の水を循環させる循環ポンプ１２を駆動する循環ポンプ用モータ１２aを一定の回転数で回転させた場合、温水配管２０Ａ〜２０Ｄが正しく接続されているときは温水回路を所定水量の水が循環して、循環ポンプ用モータ１２aは想定される負荷で回転する。一方、温水配管２０Ａ〜２０Ｄの誤接続により温水回路を水が循環しないときは、温水配管２０Ａ〜２０Ｄが正しく接続されているときよりも循環ポンプ用モータ１２aの負荷が小さくなって、循環ポンプ制御部１０cは、循環ポンプ用モータ１２aの回転数を保つために印加電圧信号のデューティを小さくする。すなわち、循環ポンプ１２を駆動する循環ポンプ用モータ１２aの印加電圧信号のデューティと温水回路に流れる水量との間には相関関係がある。したがって、この循環ポンプ用モータ１２aの印加電圧信号のデューティと温水回路に流れる水量との間の相関関係を利用して、循環ポンプ用モータ１２aを一定の回転数で回転させることで、水量推定部１０fは、循環ポンプ用モータ１２aの印加電圧信号のデューティに基づいて温水回路に流れる水量を推定することが可能になる。
【００８７】
上記第２実施形態の温水床暖房装置は、第１実施形態の温水床暖房装置と同様の効果を有する。
【００８８】
〔第３実施形態〕
図１２はこの発明の第３実施形態の温水床暖房装置の制御ブロック図を示している。この第３実施形態の温水床暖房装置は、ゾーン判定部１０gおよび床面温度センサを除いて第２実施形態の温水床暖房装置１００と同一の構成部からなり、図１を援用する。
【００８９】
この第３実施形態の温水床暖房装置では、温水配管２０Ａ〜２０Ｄが配設された床の領域を示すゾーン毎に、そのゾーンの床面の温度を検出する床面温度センサ(図示せず)を配置している。なお、この床面温度センサは、温水床暖房装置に接続された室内ユニットに設けられていてもよいし、無線または有線で温水床暖房装置と通信する端末装置をゾーン毎に床面に配置したものでもよい。
【００９０】
図１２に示すように、制御装置１０は、ゾーン設定部１０により設定されたゾーンと温水配管２０Ａ〜２０Ｄが配設された床の領域との対応が一致するか否かを判定するゾーン判定部１０gを有する。
【００９１】
この第３実施形態の温水床暖房装置では、ゾーン設定部１０dによって、複数の配管接続部(１４Ａ〜１４Ｄ,１５Ａ〜１５Ｄ)に対して、各配管接続部に接続される温水配管２０Ａ〜２０Ｄが配設された床の領域を示すゾーンを夫々設定する。すなわち、異なる床の領域に温水配管２０Ａ〜２０Ｄが夫々配設されている場合、複数の配管接続部(１４Ａ〜１４Ｄ,１５Ａ〜１５Ｄ)とその配管接続部に接続された温水配管２０Ａ〜２０Ｄおよびその温水配管２０Ａ〜２０Ｄが配設された床の領域との相互の対応関係が設定される。
【００９２】
そして、ゾーン判定部１０gは、ゾーン設定部１０dに設定された複数の配管接続部(１４Ａ〜１４Ｄ,１５Ａ〜１５Ｄ)に対応するゾーンと、各ゾーンにおいて床面温度センサにより検出された床の領域の床面温度、および、温水配管接続判定部１０bによる判定結果に基づいて、ゾーン設定部１０dにより設定されたゾーンと温水配管２０Ａ〜２０Ｄが配設された床の領域との対応が一致するか否かを判定する。これにより、ゾーン設定部１０dにより設定されたゾーンと温水配管２０Ａ〜２０Ｄが配設された床の領域との対応が一致しないときは、その旨を報知部１０eにより使用者に報知することによって、使用者は、ゾーンと温水配管２０Ａ〜２０Ｄが配設された床の領域との対応が一致するように、ゾーン設定部１０dによりゾーンを設定し直すことが可能になる。
【００９３】
図１３〜図１６は上記温水床暖房装置の制御装置１０のゾーン設定部１０dによるゾーン設定判定動作を説明するためのフローチャートを示している。なお、この制御装置１０のゾーン設定判定動作を行う前に、上記第１,第２実施形態の温水床暖房装置と同様、温水配管接続判定部１０bの温水配管接続判定動作が完了しており、温水配管２０Ａ〜２０Ｄの誤接続がないことが確認されているものとする。
【００９４】
また、具体的な例として、第１熱動弁Ｖ１に対応する温水配管２０Ａがリビングに配設され、第２熱動弁Ｖ２に対応する温水配管２０Ｂがキッチンに配設され、第３熱動弁Ｖ３に対応する温水配管２０Ｃが寝室に配設され、第４熱動弁Ｖ４に対応する温水配管２０Ｄが子供部屋に配設されているものとする。そして、制御装置１０のゾーン設定部１０dによって、第１熱動弁Ｖ１にゾーン「Ａ」が設定され、第２熱動弁Ｖ２にゾーン「Ｂ」が設定され、第３熱動弁Ｖ３にゾーン「Ｃ」が設定され、第４熱動弁Ｖ４にゾーン「Ｄ」が設定されるものとする。
【００９５】
〔第１熱動弁Ｖ１のゾーン設定判定〕
まず、ゾーン設定判定動作の処理がスタートすると、図１３に示すステップＳ５１で熱動弁制御部１０aにより第１熱動弁Ｖ１を開く。
【００９６】
次に、ステップＳ５２に進み、ヒートポンプ運転を開始する。すなわち、四路弁２を実線の位置に切り換え、圧縮機１の運転を開始すると共に、電動弁ＥＶを所定開度に開き、室外ファン６を運転する。
【００９７】
次に、ステップＳ５３に進み、循環ポンプ制御部１０cにより循環ポンプ１２の運転を開始する。
【００９８】
次に、ステップＳ５４に進み、ゾーン設定部１０dにより設定された各ゾーンの床面の温度を床面温度センサ(図示せず)により検出して、床面が温度上昇している部屋が設定したゾーンであるか否かを判定する。そして、ステップＳ５４で床面が温度上昇している部屋が設定したゾーンであると判定すると、ステップＳ５５に進み、第１熱動弁Ｖ１のゾーン設定は正常であるとし、図１４に示すステップＳ６１に進む。
【００９９】
一方、ステップＳ５４で床面が温度上昇している部屋が設定したゾーンでないと判定すると、ステップＳ５６に進み、床面温度センサ(図示せず)により設定されたゾーンの床面が温度上昇している部屋を検知する。
【０１００】
次に、ステップＳ５７に進み、床面が温度上昇している部屋を第１熱動弁Ｖ１のゾーンとして設定した後、図１４に示すステップＳ６１に進む。
【０１０１】
例えば、床面が温度上昇している部屋がゾーン「Ａ」に設定したリビングでなく、ゾーン「Ｂ」に設定されているキッチンであるとすると、第１熱動弁Ｖ１のゾーンを「Ｂ」にする。
【０１０２】
ここで、第１熱動弁Ｖ１のゾーンを「Ａ」から「Ｂ」への設定変更は、ゾーン設定部１０dにより設定されたゾーンと温水配管２０Ａが配設された床の領域との対応が一致しない旨を報知部１０eによりリモートコントローラ３００の表示などで使用者に報知する。そうすることによって、使用者は、リモートコントローラ３００を操作して、ゾーンと温水配管２０Ａが配設された床の領域との対応が一致するように、ゾーン設定部１０dによりゾーンを設定し直す(第２〜第４熱動弁Ｖ２〜Ｖ４についても同様)。なお、このゾーンの設定変更は、自動的に行ってもよい。
【０１０３】
〔第２熱動弁Ｖ２のゾーン設定判定〕
次に、図１４に示すステップＳ６１で熱動弁制御部１０aにより第１熱動弁Ｖ１を閉鎖し、ステップＳ６２で熱動弁制御部１０aにより第２熱動弁Ｖ２を開く。
【０１０４】
次に、ステップＳ６３に進み、ゾーン設定部１０dにより設定された各ゾーンの床面の温度を床面温度センサ(図示せず)により検出して、床面が温度上昇している部屋が設定したゾーンであるか否かを判定する。そして、ステップＳ６３で床面が温度上昇している部屋が設定したゾーンであると判定すると、ステップＳ６４に進み、第２熱動弁Ｖ２のゾーン設定は正常であるとし、図１５に示すステップＳ７１に進む。
【０１０５】
一方、ステップＳ６３で床面が温度上昇している部屋が設定したゾーンでないと判定すると、ステップＳ６５に進み、床面温度センサ(図示せず)により設定されたゾーンの床面が温度上昇している部屋を検知する。
【０１０６】
次に、ステップＳ６６に進み、床面が温度上昇している部屋を第２熱動弁Ｖ２のゾーンとして設定した後、図１４に示すステップＳ６１に進む。
【０１０７】
例えば、床面が温度上昇している部屋がゾーン「Ｂ」に設定したキッチンでなく、ゾーン「Ａ」に設定されているリビングであるとすると、第２熱動弁Ｖ２のゾーンを「Ａ」にする。
【０１０８】
〔第３熱動弁Ｖ３のゾーン設定判定〕
次に、図１５に示すステップＳ７１で熱動弁制御部１０aにより第２熱動弁Ｖ２を閉鎖し、ステップＳ７２で熱動弁制御部１０aにより第３熱動弁Ｖ３を開く。
【０１０９】
次に、ステップＳ７３に進み、ゾーン設定部１０dにより設定された各ゾーンの床面の温度を床面温度センサ(図示せず)により検出して、床面が温度上昇している部屋が設定したゾーンであるか否かを判定する。そして、ステップＳ７３で床面が温度上昇している部屋が設定したゾーンであると判定すると、ステップＳ７４に進み、第３熱動弁Ｖ３のゾーン設定は正常であるとし、図１６に示すステップＳ８１に進む。
【０１１０】
一方、ステップＳ７３で床面が温度上昇している部屋が設定したゾーンでないと判定すると、ステップＳ７５に進み、床面温度センサ(図示せず)により設定されたゾーンの床面が温度上昇している部屋を検知する。
【０１１１】
次に、ステップＳ７６に進み、床面が温度上昇している部屋を第３熱動弁Ｖ３のゾーンとして設定した後、図１５に示すステップＳ７１に進む。
【０１１２】
〔第４熱動弁Ｖ４のゾーン設定判定〕
次に、図１６に示すステップＳ８１で熱動弁制御部１０aにより第３熱動弁Ｖ３を閉鎖し、ステップＳ８２で熱動弁制御部１０aにより第４熱動弁Ｖ４を開く。
【０１１３】
次に、ステップＳ８３に進み、ゾーン設定部１０dにより設定された各ゾーンの床面の温度を床面温度センサ(図示せず)により検出して、床面が温度上昇している部屋が設定したゾーンであるか否かを判定する。そして、ステップＳ８３で床面が温度上昇している部屋が設定したゾーンであると判定すると、ステップＳ８４に進み、第４熱動弁Ｖ４のゾーン設定は正常であるとし、ステップＳ８５に進む。
【０１１４】
そして、ステップＳ８５でヒートポンプ運転を停止する。
【０１１５】
次に、ステップＳ８６に進み、循環ポンプ制御部１０cにより循環ポンプ１２の運転を停止して、この処理を終了する。
【０１１６】
一方、ステップＳ８３で床面が温度上昇している部屋が設定したゾーンでないと判定すると、ステップＳ８７に進み、床面温度センサ(図示せず)により設定されたゾーンの床面が温度上昇している部屋を検知する。
【０１１７】
次に、ステップＳ８８に進み、床面が温度上昇している部屋を第４熱動弁Ｖ４のゾーンとして設定した後、ステップＳ８５に進む。
【０１１８】
上記第１〜第３実施の形態では、第１〜第４熱動弁Ｖ１〜Ｖ４が設けられた配管接続部(１４Ａ〜１４Ｄ,１５Ａ〜１５Ｄ)すべてについて、温水配管２０Ａ〜２０Ｄが接続され、第１〜第４熱動弁Ｖ１〜Ｖ４に対してゾーン「Ａ」、「Ｂ」、「Ｃ」、「Ｄ」のいずれかが設定された温水床暖房装置について説明したが、温水配管が接続される配管接続部の数は５以上であってもよく、また、配管接続部のすべてに温水配管が接続されている必要はない。
【０１１９】
また、上記第１〜第３実施の形態では、熱源装置としてヒートポンプを用いたが、これに限らず、温水を供給するボイラーなどの熱源装置でもよい。
【０１２０】
この発明の具体的な実施の形態について説明したが、この発明は上記第１〜第３実施形態に限定されるものではなく、この発明の範囲内で種々変更して実施することができる。
【符号の説明】
【０１２１】
１…圧縮機
２…四路弁
３…室外熱交換器
４…水熱交換器
５…アキュムレータ
６…室外ファン
１０…制御装置
１０a…熱動弁制御部
１０b…温水配管接続判定部
１０c…循環ポンプ制御部
１０d…ゾーン設定部
１０e…報知部
１０f…水量推定部
１０g…ゾーン判定部
１１…給水タンク
１２…循環ポンプ
１３…往きヘッダ
１４Ａ〜１４Ｄ…往き配管接続部
１５Ａ〜１５Ｄ…戻り配管接続部
１６…戻りヘッダ
１７…水量センサ
２０Ａ〜２０Ｄ…温水配管
１００…温水床暖房装置
２００…床暖房パネル
３００…リモートコントローラ
ＥＶ…電動弁
Ｖ１〜Ｖ４…熱動弁
【図１】
0005594277.tif 000002
【図２】
0005594277.tif 000003
【図３】
0005594277.tif 000004
【図４】
0005594277.tif 000005
【図５】
0005594277.tif 000006
【図６】
0005594277.tif 000007
【図７】
0005594277.tif 000008
【図８】
0005594277.tif 000009
【図９】
0005594277.tif 000010
【図１０】
0005594277.tif 000011
【図１１】
0005594277.tif 000012
【図１２】
0005594277.tif 000013
【図１３】
0005594277.tif 000014
【図１４】
0005594277.tif 000015
【図１５】
0005594277.tif 000016
【図１６】
0005594277.tif 000017